(57)【要約】  【課題】  無線伝送機器３をパソコン１、２のインターフェイスに外付けしたとき、常時、パソコン１、２がこの無線伝送機器３の動作設定事項に従った動作を実行できる無線伝送機器を提供する。  【解決手段】  不揮発性メモリ４が内蔵され、パソコン１、２のインターフェイスに外付けされたときにパソコン１、２の制御によって無線信号の送受信を行うもので、無線伝送機器３を、無線伝送機器３の送受信時の動作を設定する動作設定事項をインストールしたパソコン１のインターフェイスに外付けしたとき、パソコン１に設定した動作設定事項を無線伝送機器３の不揮発性メモリ４に書き込み、それ以後、無線伝送機器３をパソコン２のインターフェイスに外付けしたとき、そのパソコン２が無線伝送機器３の不揮発性メモリ４に書き込んだ動作設定事項に従って無線伝送機器３を動作させる。。  【選択図】  図１
2005346450.tif 000002
【特許請求の範囲】
【請求項１】
不揮発性メモリが内蔵され、パソコンのインターフェイスに外付けされたときにパソコンの制御によって無線信号の送受信が行われる無線伝送機器であって、無線伝送機器を、当該無線伝送機器の送受信時の動作を設定する設定事項をインストールしたパソコンのインターフェイスに外付けしたとき、当該パソコンに設定した設定事項を当該無線伝送機器の不揮発性メモリに書き込み、それ以後、当該無線伝送機器をパソコンのインターフェイスに外付けしたとき、そのパソコンが当該無線伝送機器の不揮発性メモリに書き込んだ設定事項に従って当該無線伝送機器を動作させることを特徴とする無線伝送機器。
【請求項２】
前記設定事項は、無線伝送機器における省電力動作設定事項であることを特徴とする請求項１に記載の無線伝送機器。
【請求項３】
前記インターフェイスは、ＵＳＢであることを特徴とする請求項１または２に記載の無線伝送機器。
【請求項４】
前記無線伝送機器は、その機種がブルートゥース機器であることを特徴とする請求項１乃至３のいずれかに記載の無線伝送機器。
【発明の詳細な説明】
【技術分野】
【０００１】
本発明は、パソコンのインターフェイスに外付けされる無線伝送機器に係り、特に、無線伝送機器に不揮発性メモリが内蔵され、無線伝送機器をパソコンのインターフェイスに外付けした際にその不揮発性メモリに当該無線伝送機器の動作を設定する設定事項を書き込み、それ以後、無線伝送機器をパソコンのインターフェイスに外付けしたとき、当該パソコンが当該無線伝送機器の設定事項に従って当該無線伝送機器を動作させる無線伝送機器に関する。
【背景技術】
【０００２】
一般に、ブルートゥース機器等の無線伝送機器には、パソコンのインターフェイスに外付けして使用するタイプのものがあり、例えば、ＵＳＢインターフェイスに外付けされて使用されるものはＵＳＢドングルと呼ばれ、ＵＡＲＴインターフェイスに外付けされて使用されるものはＵＡＲＴドングルと呼ばれている。そして、これらのドングルタイプの無線伝送機器は、パソコンのインターフェイスに外付けされたときに、オプション機能として、その無線伝送機器を予め定められた動作状態に設定すること、例えば、送信電力の制御やＬＥＤ点灯の有無の制御による省電力動作等に設定できる機能を備えたものがある。
【０００３】
この場合、無線伝送機器におけるこのオプション機能を利用するためには、パソコン側に当該無線伝送機器の動作設定事項を予めインストールしておき、当該無線伝送機器をこのパソコンのインターフェイスに外付けした際に、当該無線伝送機器の動作設定事項をパソコンから読み出して当該無線伝送機器の内部メモリに書き込みをする必要があるもので、当該無線伝送機器にその動作設定事項が書き込まれたとき、このパソコンが当該無線伝送機器をこの設定事項に従って動作させるようにしている。そして、当該無線伝送機器の内部メモリに書き込まれた動作設定事項は、当該無線伝送機器をこのパソコンのインターフェイスから取外したり、このパソコンの電源をオフにしたりすると、必然的に消去される。
【０００４】
ところで、この種の無線伝送機器は、パソコンのインターフェイスに外付けして使用するものであることから、この無線伝送機器が外付けされるパソコンは、常時同じパソコンであると限らず、この無線伝送機器の使用の都度、異なるパソコンが利用される場合がある。そして、この無線伝送機器が外付けされるパソコンがいつも同じであれば、当該無線伝送機器をこのパソコンのインターフェイスに外付けした際に、当該無線伝送機器の動作設定事項をパソコンから読み出して当該無線伝送機器の内部メモリに書き込まれるので、このパソコンが当該無線伝送機器をこの設定事項に従って動作させることができる。
【０００５】
これに対して、この無線伝送機器が外付けされるパソコンが前に外付けされたパソコンと異なっている場合、パソコン側に当該無線伝送機器の動作設定事項が予めインストールされているとは限らないので、そのパソコン側に当該無線伝送機器の動作設定事項が予めインストールされていないと、当該無線伝送機器をこの設定事項に従って動作させることができない。
【０００６】
もっとも、パソコン側に当該無線伝送機器の動作設定事項が予めインストールされていない場合、そのパソコンに当該無線伝送機器の動作設定事項をインストールすれば、同じように、そのパソコンが当該無線伝送機器をこの設定事項に従って動作させることができるようになるが、当該無線伝送機器を外付けする度に、そのパソコンに当該無線伝送機器の動作設定事項をインストールすることは、そのインストール操作を行う作業時間が必要になるので、その分、作業効率が低下することになる。
【特許文献１】採用する特許文献なし
【発明の開示】
【発明が解決しようとする課題】
【０００７】
本発明は、このような技術的背景に鑑みてなされたもので、その目的は、無線伝送機器をパソコンのインターフェイスに外付けしたとき、常時、パソコンがこの無線伝送機器の動作設定事項に従った動作を実行できる無線伝送機器を提供することにある。
【課題を解決するための手段】
【０００８】
前記目的を達成するために、本発明による無線伝送機器は、不揮発性メモリが内蔵され、パソコンのインターフェイスに外付けされたときにパソコンの制御によって無線信号の送受信が行われるものであって、無線伝送機器を、当該無線伝送機器の送受信時の動作を設定する動作設定事項をインストールしたパソコンのインターフェイスに外付けしたとき、当該パソコンに設定した動作設定事項を当該無線伝送機器の不揮発性メモリに書き込み、それ以後、当該無線伝送機器をパソコンのインターフェイスに外付けしたとき、そのパソコンが当該無線伝送機器の不揮発性メモリに書き込んだ動作設定事項に従って当該無線伝送機器を動作させる構成を具備するものである。
【０００９】
前記構成における無線伝送機器に設定した動作設定事項は、省電力動作設定事項に係るものである。
【発明の効果】
【００１０】
以上のように、請求項１に記載の発明によれば、インターフェイスに無線伝送機器が外付けされるパソコンに、当該無線伝送機器の送受信時の動作を設定する動作設定事項を予めインストールしておき、当該無線伝送機器をこのパソコンのインターフェイスに外付けしたとき、当該パソコンに設定した動作設定事項を当該無線伝送機器の不揮発性メモリに書き込むようにすれば、それ以後、当該無線伝送機器をパソコンのインターフェイスに外付けしたとき、そのパソコンが当該無線伝送機器の不揮発性メモリに書き込んだ動作設定事項に従って当該無線伝送機器を動作させることができるもので、インターフェイスに無線伝送機器を外付けする度に、当該無線伝送機器の送受信時の動作を設定する動作設定事項を予めインストールする必要がなくなり、その分、無線伝送機器を動作させる際の作業効率を高めることができるという効果がある。
【００１１】
また、請求項２に記載の発明によれば、無線伝送機器に設定した動作設定事項として省電力動作設定事項を選択しているので、この無線伝送機器を用いて他の無線伝送機器またはそれに類似の無線伝送機器間で無線信号の送受信を行う際に、当該無線伝送機器の消費電力を低減した状態で送受信を行うことができるという効果がある。
【発明を実施するための最良の形態】
【００１２】
以下、本発明の実施の形態を図面を参照して説明する。
【００１３】
図１は、本発明による無線伝送機器の実施の形態に係わるもので、その要部構成を示す概要図である。
【００１４】
図１に示されるように、この実施の形態における無線伝送機器は、ブルートゥース機器等の無線伝送機器であって、第１のパソコン１と、第２のパソコン２と、ドングルタイプの無線伝送機器３とからなっており、無線伝送機器３は、ＥＥＰＲＯＭやフラッシュメモリ等の不揮発性メモリ４を内蔵している。この場合、無線伝送機器３は、パソコンとともに使用されるとき、第１のパソコン１のインターフェース、例えばＵＳＢインターフェース（図１に図示なし）に外付けされて使用されることがあったり、第２のパソコン２のインターフェース、例えばＵＳＢインターフェース（同じく図１に図示なし）に外付けされて使用されることがあったりする。
【００１５】
また、図２は、第１のパソコン１とそのインターフェースに外付けされた無線伝送機器３との間のデータ移送状態を示す動作説明図であり、図３は、第２のパソコン２とそのインターフェースに外付けされた無線伝送機器３との間のデータ移送状態を示す動作説明図である。
【００１６】
図２及び図３に示されるように、第１のパソコン１は、無線伝送機器３が外付けされるインターフェース５と内部メモリ６とを備え、第２のパソコン２は、同じく無線伝送機器３が外付けされるインターフェース７と内部メモリ８とを備えている。また、無線伝送機器３は、前述の不揮発性メモリ４を内蔵するファームウエア９と、無線信号送受信用ＩＣ１０とを備えている。
【００１７】
前記構成を有する無線伝送機器３は、次のように動作する。
【００１８】
第１のパソコン１は、そのインターフェイス５に無線伝送機器３が外付けされる前の時点または無線伝送機器３が外付けされた直後の時点に、パソコンユーザーの操作により、当該無線伝送機器３が動作する際の動作設定事項、例えば、当該無線伝送機器３の省電力動作設定事項等を、当該無線伝送機器３に付属するアプリケーションソフトを用いて第１のパソコン２の内部メモリ６に書き込む。このような書き込みが行われた後で、第１のパソコン１によってそのインターフェイス５に外付けされた当該無線伝送機器３を動作させると、図２に図示されるように、内部メモリ６に書き込まれた動作設定事項が読み出され、読み出された動作設定事項は、インターフェイス５を通して当該無線伝送機器３に伝送供給され、無線信号送受信用ＩＣ１０を通してファームウエア９内の不揮発性メモリ４に書き込まれる。当該無線伝送機器３は、不揮発性メモリ４に動作設定事項が書き込まれると、第１のパソコン１の制御によって当該無線伝送機器３の無線信号送受信用ＩＣ１０が無線信号の送受信を行うときに、送信電力の低減された省電力動作設定に従った動作が行われる。
【００１９】
そして、当該無線伝送機器３の不揮発性メモリ４に動作設定事項が書き込まれると、当該無線伝送機器３を第１のパソコン２のインターフェイス５から取外した場合や第１のパソコン２の電源オフにした場合においても、その動作設定事項は、不揮発性メモリ４から消去されることがなく、その後も残留している。
【００２０】
次に、この無線伝送機器３がパソコンとともに使用される場合であって、当該無線伝送機器３が動作する際の動作設定事項が内部メモリ８に書き込まれていない第２のパソコン２のインターフェイス７に外付けされて使用される場合には、第２のパソコン２が当該無線伝送機器３を動作させる際に、図３に図示されるように、第２のパソコン２の制御によって当該無線伝送機器３の不揮発性メモリ４に書き込まれた動作設定事項が読み出され、読み出された動作設定事項は、インターフェイス７を通して第２のパソコン２に伝送供給され、その内部メモリ８に書き込まれる。第２のパソコン２は、内部メモリ８に当該無線伝送機器３の動作設定事項が書き込まれると、第２のパソコン２の制御によって当該無線伝送機器３の無線信号送受信用ＩＣ１０が無線信号の送受信を行うときに、前の場合と同様に、送信電力の低減された省電力動作設定に従った動作が行われる。
【００２１】
また、この無線伝送機器３がパソコンとともに使用される場合に、当該無線伝送機器３が動作する際の動作設定事項が内部メモリ８に書き込まれていない他のパソコン（これを便宜上第３のパソコンという）のインターフェイス７に外付けされて使用される場合も前の場合と同様であって、第３のパソコンの内部メモリに当該無線伝送機器３の動作設定事項が書き込まれ、それにより、第３のパソコンは、その内部メモリに当該無線伝送機器３の動作設定事項が書き込まれると、第３のパソコンの制御によって当該無線伝送機器３の無線信号送受信用ＩＣ１０が無線信号の送受信を行うときに、送信電力の低減された省電力動作設定に従った動作が行われる。
【００２２】
一方、この無線伝送機器３がパソコンとともに使用される場合に、当該無線伝送機器３が動作する際の動作設定事項が既に内部メモリ８に書き込まれているパソコン（これを便宜上第４のパソコンという）のインターフェイス７に外付けされて使用される場合は、第４のパソコンの内部メモリに当該無線伝送機器３の動作設定事項を書き込む動作が省略されるものの、それ以外の動作は前の場合と同じであって、第４のパソコンは、内部メモリに当該無線伝送機器３の動作設定事項が書き込まれれていることから、第４のパソコンの制御によって当該無線伝送機器３の無線信号送受信用ＩＣ１０が無線信号の送受信を行うときに、同じように、送信電力の低減された省電力動作設定に従った動作が行われる。
【００２３】
なお、前記実施の形態においては、当該無線伝送機器３の動作設定事項が省電力動作設定事項である例を挙げて説明したが、本発明による当該無線伝送機器３の動作設定事項は、省電力動作設定事項である場合に限られるものではなく、他の動作設定事項であってもよく、２つまたはそれ以上の動作設定事項を含むものであってもよい。
【００２４】
また、前記実施の形態においては、当該無線伝送機器３がブルートゥース機器である例を挙げて説明したが、本発明による当該無線伝送機器３はブルートゥース機器である例に限られるものでなく、ブルートゥース機器と類似の送受信動作を行う他の無線伝送機器であってもよい。
【００２５】
さらに、前記実施の形態においては、インターフェイス５、７がＵＳＢインターフェイスである例を挙げて説明したが、本発明によるインターフェイスはＵＳＢインターフェイスである場合に限られるものでなく、他のインターフェイス、例えばＵＡＲＴインターフェイスであってもよい。
【図面の簡単な説明】
【００２６】
【図１】本発明による無線伝送機器の実施の形態に係わるもので、その要部構成を示す概要図である。
【図２】第１のパソコンとそのインターフェースに外付けされた無線伝送機器との間のデータ移送状態を示す動作説明図である。
【図３】第２のパソコンとそのインターフェースに外付けされた無線伝送機器との間のデータ移送状態を示す動作説明図である。
【符号の説明】
【００２７】
１  第１のパソコン
２  第２のパソコン
３  無線伝送機器
４  不揮発性メモリ
５、７  インターフェース
６、８  内部メモリ
９  ファームウエア
１０  無線信号送受信用ＩＣ
【図１】
2005346450.tif 000003
【図２】
2005346450.tif 000004
【図３】
2005346450.tif 000005